(57)【要約】無線ネットワーク・デバイス間の干渉問題が緩和される。イボルブド・ノードＢ（ｅノードＢ）は、ユーザ機器（ＵＥ）が攻撃ｅノードＢによって強く影響を受けるセル範囲拡張（ＣＲＥ）エリアにおいて動作しているＵＥにサービス提供している場合、高いセル負荷または高い干渉を受けることがありうる。より高いセル負荷を受けているｅノードＢ、または、高い干渉下においてサービス提供しているユーザ機器（ＵＥ）は、一般に、干渉元／攻撃ｅノードＢに対して、そのリソースのいくつかを再分割するように要求する。しかしながら、リソースの再分割は、ＣＲＥエリアＵＥにサービス提供しているｅノードＢに負のインパクトを与えうる。１つの態様では、利用量の新たな測定は、ＣＲＥステータスを考慮し、例えばサブフレームのような保護リソースと非保護リソースとを区別する。
2013535175.tif 000002
【特許請求の範囲】
【請求項１】
無線通信のための方法であって、
第１のセル範囲拡張（ＣＲＥ）エリアにおけるユーザ機器（ＵＥ）の第１の保護リソース利用量を計算することと、
前記第１の保護リソース利用量を第１の攻撃ｅノードＢへレポートすることと、
を備える方法。
【請求項２】
前記第１の保護リソース利用量を計算することは、サンプリング期間中に、ダウンリンクまたはアップリンクで、前記第１のＣＲＥエリアにおけるＵＥに割り当てられた第１の保護リソース内のデータ・リソース・ブロック（ＤＲＢ）に基づく、請求項１に記載の方法。
【請求項３】
前記第１の保護リソース利用量は、前記第１のＣＲＥエリア内の保護リソースのすべてのデータ・リソース・ブロックに対する、前記第１のＣＲＥエリア内のＵＥに割り当てられた前記第１の保護リソースのデータ・リソース・ブロックのパーセンテージを備える、請求項２に記載の方法。
【請求項４】
第１の保護リソースは、前記第１の攻撃ｅノードＢによってもたらされた干渉から保護されたリソースを備える、請求項１に記載の方法。
【請求項５】
前記第１の保護リソースは、前記第１の攻撃ｅノードＢがユーザ・データを送信しないサブフレームを備える、請求項４に記載の方法。
【請求項６】
前記第１の保護リソース利用量を計算することは、犠牲ｅノードＢによって実行される、請求項１に記載の方法。
【請求項７】
犠牲ｅノードＢの有効通信範囲エリア内の前記第１のセル範囲拡張エリアを決定すること、をさらに備える請求項１に記載の方法。
【請求項８】
第２のセル範囲拡張（ＣＲＥ）エリアにおけるＣＲＥエリア・ユーザ機器（ＵＥ）の第２の保護リソース利用量を計算することと、
前記第２の保護リソース利用量を第２の攻撃ｅノードＢへレポートすることと、
をさらに備える請求項１に記載の方法。
【請求項９】
前記第２の保護リソース利用量に基づいて、前記第２の攻撃ｅノードＢから、リソース割当を受け取ること、をさらに備える請求項８に記載の方法。
【請求項１０】
前記第１の保護リソース利用量に基づいて、前記第１の攻撃ｅノードＢから、リソース割当を受け取ること、をさらに備える請求項１に記載の方法。
【請求項１１】
無線通信のための装置であって、
メモリと、
前記メモリに接続された少なくとも１つのプロセッサとを備え、
前記少なくとも１つのプロセッサは、
第１のセル範囲拡張（ＣＲＥ）エリアにおけるユーザ機器（ＵＥ）の第１の保護リソース利用量を計算し、
前記第１の保護リソース利用量を第１の攻撃ｅノードＢへレポートする
ように構成された、装置。
【請求項１２】
前記プロセッサはさらに、サンプリング期間中に、ダウンリンクまたはアップリンクで、前記第１のＣＲＥエリアにおけるＵＥに割り当てられた第１の保護リソース内のデータ・リソース・ブロック（ＤＲＢ）に基づいて、前記第１の保護リソース利用量を計算するように構成された、請求項１１に記載の装置。
【請求項１３】
前記第１の保護リソース利用量は、前記第１のＣＲＥエリア内の保護リソースのすべてのデータ・リソース・ブロックに対する、前記第１のＣＲＥエリア内のＵＥに割り当てられた前記第１の保護リソースのデータ・リソース・ブロックのパーセンテージを備える、請求項１２に記載の装置。
【請求項１４】
第１の保護リソースは、前記第１の攻撃ｅノードＢによってもたらされた干渉から保護されたリソースを備える、請求項１１に記載の装置。
【請求項１５】
前記第１の保護リソースは、前記第１の攻撃ｅノードＢがユーザ・データを送信しないサブフレームを備える、請求項１４に記載の装置。
【請求項１６】
前記第１の保護リソース利用量は、犠牲ｅノードＢによって計算される、請求項１１に記載の装置。
【請求項１７】
前記プロセッサはさらに、犠牲ｅノードＢの有効通信範囲エリア内の前記第１のセル範囲拡張エリアを決定するように構成された、請求項１１に記載の装置。
【請求項１８】
前記プロセッサはさらに、
第２のセル範囲拡張（ＣＲＥ）エリアにおけるＣＲＥエリア・ユーザ機器（ＵＥ）の第２の保護リソース利用量を計算し、
前記第２の保護リソース利用量を第２の攻撃ｅノードＢへレポートする
ように構成された、請求項１１に記載の装置。
【請求項１９】
前記プロセッサはさらに、前記第２の保護リソース利用量に基づいて、前記第２の攻撃ｅノードＢから、リソース割当を受け取るように構成された、請求項１８に記載の装置。
【請求項２０】
前記プロセッサはさらに、前記第１の保護リソース利用量に基づいて、前記第１の攻撃ｅノードＢから、リソース割当を受け取るように構成された、請求項１１に記載の装置。
【請求項２１】
無線ネットワークにおける無線通信のためのコンピュータ・プログラム製品であって、
記録された非一時的なプログラム・コードを有する非一時的なコンピュータ読取可能な媒体を備え、前記プログラム・コードは、
第１のセル範囲拡張（ＣＲＥ）エリアにおけるユーザ機器（ＵＥ）の第１の保護リソース利用量を計算するためのプログラム・コードと、
前記第１の保護リソース利用量を第１の攻撃ｅノードＢへレポートするためのプログラム・コードと
を備える、コンピュータ・プログラム製品。
【請求項２２】
無線通信のための装置であって、
第１のセル範囲拡張（ＣＲＥ）エリアにおけるユーザ機器（ＵＥ）の第１の保護リソース利用量を計算する手段と、
前記第１の保護リソース利用量を第１の攻撃ｅノードＢへレポートする手段と、
を備える装置。
【発明の詳細な説明】
【技術分野】
【０００１】
本開示の態様は、一般に、無線通信システムに関し、さらに詳しくは、ヘテロジニアスなネットワークのためのリソース利用量測定に関する。
【背景技術】
【０００２】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００３】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００４】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００５】
本開示のさまざまな態様は、無線ネットワーク・デバイス間の干渉問題を緩和するための技術を提供する。後述するように、イボルブド・ノードＢ（ｅノードＢ）は、ユーザ機器（ＵＥ）が攻撃ｅノードＢによって強く影響を受けるセル範囲拡張（ＣＲＥ）エリアにおいて動作しているＵＥにサービス提供している場合、高いセル負荷または高い干渉を受けることがありうる。より高いセル負荷を受けているか、または、高い干渉下でのユーザ機器（ＵＥ）にサービス提供しているｅノードＢは、一般に、干渉元／攻撃ｅノードＢに対して、リソースのうちのいくつかを再分割するように要求する。しかしながら、リソースの再分割は、ＣＲＥエリアＵＥにサービス提供しているｅノードＢに負のインパクトを与えうる。１つの態様では、ＵＥのＣＲＥエリア・ステータス、および、保護サブフレームと非保護サブフレームとの間の相違を考慮する、新たな利用量測定が提案される。
【０００６】
本開示の１つの態様によれば、ヘテロジニアスなネットワーク内におけるリソース利用量測定のための方法が記載される。この方法は、第１のセル範囲拡張（ＣＲＥ）エリアにおけるユーザ機器（ＵＥ）の第１の保護リソース利用量を計算することを含む。この方法はさらに、第１の保護リソース利用量を第１の攻撃ｅノードＢへレポートすることを含む。
【０００７】
別の態様では、ヘテロジニアスなネットワーク内におけるリソース利用量測定のための装置が記載される。この装置は、少なくとも１つのプロセッサと、少なくとも１つのプロセッサに接続されたメモリとを含む。プロセッサ（単数または複数）は、第１のセル範囲拡張（ＣＲＥ）エリアにおけるユーザ機器（ＵＥ）の第１の保護リソース利用量を計算するように構成される。プロセッサ（単数または複数）は、第１の保護リソース利用量を第１の攻撃ｅノードＢへレポートするように構成される。
【０００８】
さらなる態様では、ヘテロジニアスなネットワーク内におけるリソース利用量測定のためのコンピュータ・プログラム製品が記載される。このコンピュータ・プログラム製品は、記録されたプログラム・コードを有するコンピュータ読取可能な媒体を含む。このコンピュータ・プログラム製品は、第１のセル範囲拡張（ＣＲＥ）エリアにおけるユーザ機器（ＵＥ）の第１の保護リソース利用量を計算するためのプログラム・コードを有する。このコンピュータ・プログラム製品はさらに、第１の保護リソース利用量を第１の攻撃ｅノードＢへレポートするためのプログラム・コードをも含む。
【０００９】
別の態様では、ヘテロジニアスなネットワーク内におけるリソース利用量測定のための装置が記載される。この装置は、第１のセル範囲拡張（ＣＲＥ）エリアにおけるユーザ機器（ＵＥ）の第１の保護リソース利用量を計算する手段を含む。この装置はさらに、第１の保護リソース利用量を第１の攻撃ｅノードＢへレポートする手段を含む。
【００１０】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１１】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信におけるフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の態様にしたがうヘテロジニアスなネットワークにおける適応リソース区分を概念的に例示するブロック図である。
【図６】図６は、本開示の１つの態様を実施するように実行されるブロックの例を例示する機能ブロック図である。
【図７】図７は、本開示の態様にしたがって構成されたヘテロジニアスなネットワークの一部を概念的に例示するブロック図である。
【発明を実施するための形態】
【００１２】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１３】
本開示のさまざまな態様は、無線ネットワーク・デバイス間の干渉問題を緩和するための技術を提供する。後述するように、イボルブド・ノードＢ（ｅノードＢ）は、ユーザ機器（ＵＥ）が攻撃ｅノードＢによって強く影響を受けるセル範囲拡張（ＣＲＥ）エリアにおいて動作しているＵＥにサービス提供している場合、高いセル負荷または高い干渉を受けることがありうる。より高いセル負荷を受けているか、または、高い干渉の下でのユーザ機器（ＵＥ）にサービス提供しているｅノードＢは、一般に、干渉元／攻撃ｅノードＢに対して、リソースのうちのいくつかを再分割するように要求する。しかしながら、リソースを再分割することは、干渉元のｅノードＢに対して負のインパクトを与えうる。なぜなら、干渉元のｅノードＢは、数リソースしか利用可能ではないからである。したがって、リソース再分割をいつどのようにして行うかは、注意深く考慮されねばならない。１つの態様では、ＵＥのＣＲＥステータス、および、保護サブフレームと非保護サブフレームとの間の相違を考慮する、新たな利用量測定が提案される。
【００１４】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ｃｄｍａ２０００およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”と称される）について記載されており、このようなＬＴＥ−Ａ用語が以下の説明の多くで使用される。
【００１５】
図１は、ヘテロジニアスなネットワークのためのリソース利用量測定が実施される、ＬＴＥ−Ａネットワークでありうる、無線通信システム１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００１６】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連を持つＵＥ（例えば、クローズド加入者グループ（ＣＳＧ）におけるＵＥ、住宅内のユーザのためのＵＥ等）による制限されたアクセスを提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。
【００１７】
図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００１８】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００１９】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２０】
無線ネットワーク１００は、同期動作または非同期動作をサポートしうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２１】
１つの態様では、無線ネットワーク１００は、周波数分割多重（ＦＤＤ）動作モードまたは時分割多重（ＴＤＤ）動作モードをサポートしうる。本明細書に記載された技術は、ＦＤＤ動作モードまたはＴＤＤ動作モードの何れかのために使用されうる。
【００２２】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２３】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、両矢印を持つ実線が、ＵＥと、ダウンリンクおよび／またはアップリンクでＵＥにサービス提供するように指定されたｅノードＢであるサービス提供ｅノードＢとの間の所望の送信を示す。両矢印を持つ破線は、ＵＥとｅノードＢとの間の干渉送信を示す。
【００２４】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。
【００２５】
図２は、ＬＴＥにおいて使用されるダウンリンクＦＤＤ構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００２６】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２７】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２８】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００２９】
ＵＥは、複数のｅノードＢの有効通信範囲内に存在しうる。これらのｅノードＢのうちの１つは、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３０】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００３１】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、アップリンク・リソースで並列なチャネルが送信されうる。例えば、制御およびデータ・チャネル、並列制御チャネル、および並列データ・チャネルが、ＵＥによって送信されうる。
【００３２】
図４は、図１における基地局／ｅノードＢのうちの１つ、およびＵＥのうちの１つでありうる、基地局／ｅノードＢ１１０とＵＥ１２０との設計のブロック図を示す。ｅノードＢ１１０は、図１におけるマクロｅノードＢ１１０ｃでありうる。そして、ＵＥ１２０は、ＵＥ１２０ｙでありうる。ｅノードＢ１１０はさらに、その他いくつかのタイプの基地局でもありうる。ｅノードＢ１１０は、アンテナ４３４ａ乃至４３４ｔを備え、ＵＥ１２０は、アンテナ４５２ａ乃至４５２ｒを備えうる。
【００３３】
ｅノードＢ１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００３４】
ＵＥ１２０では、アンテナ４５２ａ乃至４５２ｒが、ｅノードＢ１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００３５】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、ｅノードＢ１１０へ送信されうる。ｅノードＢ１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得される。プロセッサ４３８は、復号されたデータをデータ・シンク４３９に提供し、復号された制御情報をコントローラ／プロセッサ４４０へ提供しうる。ｅノードＢ１１０は、例えばＸ２インタフェース４４１を介して、他の基地局へメッセージを送信しうる。
【００３６】
コントローラ／プロセッサ４４０，４８０は、ｅノードＢ１１０およびＵＥ１２０それぞれにおける動作を指示しうる。ｅノードＢ１１０におけるプロセッサ４４０および／またはその他のプロセッサおよびモジュールは、ここで説明された技術のためのさまざまな処理の実行または指示を行いうる。ＵＥ１２０におけるプロセッサ４８０および／またはその他のプロセッサおよびモジュールは、図６の使用方法フロー・チャートに例示された機能ブロック、および／または、本明細書に記載された技術のためのその他の処理の実行または実行の指示を行いうる。メモリ４４２，４８２は、ｅノードＢ１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００３７】
（ヘテロジニアスなネットワークのためのリソース利用量測定）  
図１に戻って示すように、無線ネットワーク１００は、単位エリア毎のシステムのスペクトル効率を改善するために、ｅノードＢ１１０の多様なセット（すなわち、マクロｅノードＢ、ピコｅノードＢ、フェムトｅノードＢ、およびリレー）を使用する。無線ネットワーク１００は、スペクトル有効通信範囲のため、このように異なるｅノードＢを使用するので、ヘテロジニアスなネットワークとも称されうる。マクロｅノードＢ１１０ａ−ｃは、通常、無線ネットワーク１００のプロバイダによって、注意深く計画され、配置される。マクロｅノードＢ１１０ａ−ｃは、一般に、高い電力レベル（例えば、５Ｗ−４０Ｗ）で送信する。しかしながら、ピコｅノードＢ１１０ｘおよびリレー１１０ｒは、一般に、実質的に低い電力レベル（例えば、１００ｍＷ−２Ｗ）で送信する。その結果、ピコｅノード１１０ｘおよびリレー１１０ｒは、マクロｅノードＢ１１０ａ−ｃによって提供される有効通信範囲エリアにおける有効通信範囲ホールをなくすために、および、ホット・スポットにおける容量を高めるために、比較的無計画な方式で配置されうる。
【００３８】
フェムトｅノードＢ１１０ｙ−ｚは、一般に、無線ネットワーク１００から独立して配置される。しかしながら、フェムトｅノードＢ１１０ｙ−ｚは、アドミニストレータ（単数または複数）によって許可されている場合において無線ネットワーク１００への潜在的なアクセス・ポイントとして、または、少なくともアクティブおよびアウェアなｅノードＢとして、無線ネットワーク１００の有効通信範囲エリアに組み込まれうる。特に、フェムトｅノードＢ１１０ｙ−ｚは、リソース調整、および、干渉管理の調整を行うために、無線ネットワーク１００のその他のｅノードＢ１１０と通信しうる。また、フェムトｅノードＢ１１０ｙ−ｚは、一般に、マクロｅノードＢ１１０ａ−ｃよりも実質的に低い電力レベル（例えば、１００ｍＷ−２Ｗ）でも送信する。
【００３９】
例えば無線ネットワーク１００のようなヘテロジニアスなネットワークの動作では、おのおののＵＥは、通常、良好な信号品質のｅノードＢ１１０によってサービス提供される一方、他のｅノードＢ１１０から受信された、求められない信号は、干渉として取り扱われる。不運なことに、このような動作原理は、著しく最適とはいえないパフォーマンスをもたらしうる。１つの態様では、ｅノードＢ１１０間のリソース調整、より良好なサーバ選択戦略、および、効率的な干渉管理のためのより高度な技術を用いることによって、無線ネットワーク１００におけるネットワーク・パフォーマンスの向上が達成される。
【００４０】
例えばピコｅノードＢ１１０ｘのようなピコｅノードＢは、例えばマクロｅノードＢ１１０ａ−ｃのようなマクロｅノードＢと比較された場合、実質的に低い送信電力によって特徴付けられる。また、ピコｅノードＢは、通常、アド・ホック方式では、例えば無線ネットワーク１００のようなネットワークの周囲に配置されるだろう。この無計画な配置によって、例えば無線ネットワーク１００のような、ピコｅノードＢ配置を伴う無線ネットワークは、低い信号対干渉条件を持つ広いエリアを有することが期待されうる。これは、有効通信範囲エリアまたはセルの端部のＵＥ（「セル・エッジ」ＵＥ）への制御チャネル送信のためのよりチャレンジングなＲＦ環境を生み出しうる。
【００４１】
さらに、マクロｅノードＢ１１０ａ−ｃと、ピコｅノードＢ１１０ｘとの送信電力レベル間に潜在的に大きな相違（例えば、約２０ｄＢ）があることは、混合された配置では、ピコｅノードＢ１１０ｘのダウンリンク有効通信範囲エリアが、マクロｅノードＢ１１０ａ−ｃのダウンリンク有効通信範囲エリアよりも格段に小さいであろうことを示唆している。さらなる状況では、マクロｅノードＢの送信電力は、一般に、ピコｅノードＢまたはフェムトｅノードＢの送信電力よりも高いにも関わらず、クローズド加入者グループ（ＣＳＧ）フェムト・セル１０２ｙにサービス提供する例えばフェムトｅノードＢ１１０ｙのような低電力ｅノードＢは、マクロｅノードＢ１１０ｃにおける高い干渉を引き起こしうる。このような場合、マクロｅノードＢ１１０ｃは、犠牲者であり、セル範囲拡張（ＣＲＥ）エリアＵＥにサービス提供するために、保護サブフレーム（Ｕ／ＡＵサブフレーム）を使用するであろう。
【００４２】
しかしながら、アップリンクの場合では、アップリンク信号の信号強度はＵＥによって管理されるので、何れかのタイプのｅノードＢ１１０によって受信された場合、類似するようになるであろう。大まかに同じまたは類似しているｅノードＢ１１０のアップリンク有効通信範囲エリアでは、アップリンク・ハンドオフ境界が、チャネル・ゲインに基づいて決定される。これは、ダウンリンク・ハンドオーバ境界とアップリンク・ハンドオーバ境界との間のミスマッチをもたらしうる。さらなるネットワーク適合が無ければ、このミスマッチは、無線ネットワーク１００における、サーバ選択、または、ｅノードＢに対するＵＥの関連付けを、ダウンリンクおよびアップリンクのハンドオーバ境界がより近く一致しているマクロｅノードＢのみのホモジニアスなネットワークにおけるよりも、より困難にするであろう。
【００４３】
ＬＴＥリリース８規格で提供されているように、サーバ選択が、ダウンリンク受信信号強度に支配的に基づくのであれば、例えば無線ネットワーク１００のようなヘテロジニアスなネットワークの混合ｅノードＢ配置の有用性が実質的に損なわれるだろう。なぜなら、例えばマクロｅノードＢ１１０ａ−ｃのような高電力マクロｅノードＢの有効通信範囲エリアが広くなると、例えばピコｅノードＢ１１０ｘのようなピコｅノードＢを用いてセル有効通信範囲を分割する利点を制限するからである。特に、マクロｅノードＢ１１０ａ−ｃのダウンリンク受信信号強度が強くなることは、利用可能なＵＥのすべてに魅力的である一方、ピコｅノードＢ１１０ｘは、ダウンリンク送信電力が格段に低いので、何れのＵＥにもサービス提供しないことがありうる。さらに、マクロｅノードＢ１１０ａ−ｃは、これらのＵＥに対して効率的にサービス提供するための十分なリソースを持たない場合がありうる。したがって、無線ネットワーク１００は、ピコｅノードＢ１１０ｘの有効通信範囲エリアを拡大することによって、マクロｅノードＢ１１０ａ−ｃとピコｅノードＢ１１０ｘとの間の負荷をアクティブに平準化するように試みるであろう。この概念は範囲拡張と称される。
【００４４】
無線ネットワーク１００は、サーバ選択が決定される方式を変更することによって、この範囲拡張を達成する。サーバ選択は、ダウンリンク受信信号強度に基づくのではなく、ダウンリンク信号の品質により基づく。このような品質ベースの１つの決定では、サーバ選択は、ＵＥに対して最小の経路喪失しかもたらさないｅノードＢを決定することによって実行される。さらに、無線ネットワーク１００は、マクロｅノードＢ１１０ａ−ｃと、ピコｅノードＢ１１０ｘとの間で固定されたリソース分割を提供する。しかしながら、このようなアクティブな負荷平準化をもってしても、マクロｅノードＢ１１０ａ−ｃからのダウンリンク干渉は、例えばピコｅノードＢ１１０ｘのようなピコｅノードＢによってサービス提供されるＵＥのために緩和されねばならない。これは、ＵＥにおける干渉除去、ｅノードＢ１１０間のリソース調整等を含むさまざまな方法によって達成されうる。
【００４５】
例えば無線ネットワーク１００のように、範囲拡張されたヘテロジニアスなネットワークでは、例えばピコｅノードＢ１１０ｘのような低電力ｅノードＢは、例えばマクロｅノードＢ１１０ａ−ｃのような高電力ｅノードＢから送信されたより強いダウンリンク信号が存在している間、干渉を受けうる。１つの態様では、ピコｅノードＢ１１０ｘは、ＵＥのためのサービスを提供するために、支配的な干渉元であるマクロｅノードＢ１１０ａ−ｃとの制御チャネルおよびデータ・チャネルの干渉の調整を行う。干渉を管理するために、干渉調整のための別の多くの技術が適用されうる。例えば、同一チャネル配置におけるセルからの干渉を低減するために、セル間干渉調整（ＩＣＩＣ）が使用されうる。１つのＩＣＩＣメカニズムは、適応的なリソース分割である。この例が、図５に示される。適応的なリソース分割（ＴＤＭ分割）は、あるｅノードＢにサブフレームを割り当てる。第１のｅノードＢに割り当てられたサブフレームでは、近隣のｅノードＢは送信しない。したがって、第１のｅノードＢによってサービス提供されるＵＥによってもたらされる干渉が低減される。サブフレーム割当は、アップリンク・チャネルとダウンリンク・チャネルとの両方で実行されうる。
【００４６】
例えば、サブフレームは、３つのクラスのサブフレーム、すなわち、保護サブフレーム（Ｕサブフレーム）、禁止サブフレーム（Ｎサブフレーム）、および共通サブフレーム（Ｃサブフレーム）間で割り当てられうる。保護サブフレームは、第１のｅノードＢによる限定的な使用のために第１のｅノードＢに割り当てられる。保護サブフレームはまた、近隣のｅノードＢからの干渉が低減されたことに基づいて、「クリーンな」サブフレームとも称される。禁止サブフレームは、近隣のｅノードＢに割り当てられたサブフレームであり、第１のｅノードＢは、禁止サブフレームの間、データを送信することを禁じられる。例えば、第１のｅノードＢの禁止サブフレームは、第２の干渉元のｅノードＢの保護サブフレームに対応しうる。したがって、第１のｅノードＢは、第１のｅノードＢの保護サブフレームの間にデータを送信している唯一のｅノードＢである。共通サブフレームは、複数のｅノードＢによるデータ送信のために使用されうる。共通サブフレームはまた、別のｅノードＢからの干渉の可能性があることから、「クリーンではない」サブフレームとも称されうる。
【００４７】
所与の期間のために、少なくとも１つの保護サブフレームが、静的に割り当てられる。ある場合には、１つの保護サブフレームのみが静的に割り当てられる。例えば、期間が８ミリ秒である場合、１つの保護サブフレームが、毎８ミリ秒の間に、ｅノードＢに静的に割り当てられうる。他のサブフレームは動的に割り当てられうる。
【００４８】
適応的なリソース分割情報（ＡＲＰＩ）によって、非静的に割り当てられたサブフレームが、適応的に割り当てられるようになる。保護サブフレーム、禁止サブフレーム、または共通サブフレーム（それぞれＡＵサブフレーム、ＡＮサブフレーム、ＡＣサブフレーム）の何れかが、動的に割り当てられうる。このような動的な割り当ては、例えば１００ミリ秒毎またはそれ未満毎のように、迅速に変化しうる。
【００４９】
ヘテロジニアスなネットワークは、異なる電力クラスのｅノードＢを有しうる。例えば、電力クラスが減少するに際し、マクロｅノードＢ、ピコｅノードＢ、およびフェムトｅノードＢのように、３つの電力クラスが定義されうる。マクロｅノードＢ、ピコｅノードＢ、およびフェムトｅノードＢが同一チャネルに配置されている場合、マクロｅノードＢ（攻撃ｅノードＢ）の電力スペクトル密度（ＰＳＤ）は、ピコｅノードＢおよびフェムトｅノードＢ（犠牲ｅノードＢｓ）のＰＳＤよりも大きく、ピコｅノードＢとフェムトｅノードＢとに多大な干渉をもたらしうる。保護サブフレームは、ピコｅノードＢおよびフェムトｅノードＢとの干渉を低減または最小化するために使用されうる。すなわち、保護サブフレームは、犠牲ｅノードＢが、攻撃ｅノードＢにおける禁止サブフレームに対応するようにスケジュールされうる。
【００５０】
図５は、本開示の１つの態様にしたがうヘテロジニアスなネットワークにおけるＴＤＭ分割を例示するブロック図である。ブロックの第１行は、フェムトｅノードＢのためのサブフレーム割当を例示しており、ブロックの第２行は、マクロｅノードＢのためのサブフレーム割当を例示している。ｅノードＢのおのおのは、静的な保護サブフレームを有する。この間、他のｅノードＢは、静的な禁止サブフレームを有する。例えば、フェムトｅノードＢは、サブフレーム０における禁止サブフレーム（Ｎサブフレーム）に対応する、サブフレーム０における保護サブフレーム（Ｕサブフレーム）を有する。同様に、マクロトｅノードＢは、サブフレーム７における禁止サブフレーム（Ｎサブフレーム）に対応する、サブフレーム７における保護サブフレーム（Ｕサブフレーム）を有する。サブフレーム１−６は、保護サブフレーム（ＡＵ）、禁止サブフレーム（ＡＮ）、および共通サブフレーム（ＡＣ）の何れかとして動的に割り当てられる。サブフレーム５，６において動的に割り当てられた共通サブフレーム（ＡＣ）では、フェムトｅノードＢとマクロｅノードＢとの両方が、データを送信しうる。
【００５１】
攻撃ｅノードＢは、送信することを禁止されているので、（例えばＵ／ＡＵサブフレームのような）保護サブフレームは、干渉が低減され、高いチャネル品質を有する。（例えば、Ｎ／ＡＮサブフレームのような）禁止サブフレームは、データ送信を有さないので、犠牲ｅノードＢは、低い干渉レベルでデータを送信できるようになる。（例えば、Ｃ／ＡＣサブフレームのような）共通サブフレームは、データを送信している近隣ｅノードＢの数に依存するチャネル品質を有する。例えば、近隣ｅノードＢが、共通サブフレームでデータを送信している場合、共通サブフレームのチャネル品質は、保護サブフレームよりも低くなりうる。共通サブフレームにおけるチャネル品質はまた、攻撃ｅノードＢによって強く影響を受けるセル範囲拡張（ＣＲＥ）エリアＵＥについて、より低くなりうる。ＣＲＥエリアは、非保護サブフレーム（Ｃ／ＡＣ）が近隣ｅＮＢから、あるレベルの干渉を受ける領域を含みうるので、このエリア内のＵＥは、非保護サブフレームを高い信頼性で受信することができなくなる。例えば、ＣＲＥエリアＵＥは、第１のｅノードＢに属するのみならず、第２のｅノードＢの有効通信範囲エリア内にも位置しうる。例えば、フェムトｅノードＢ有効通信範囲の範囲限界近傍のマクロｅノードＢと通信するＵＥは、ＣＲＥエリアＵＥである。
【００５２】
ＬＴＥ／−Ａにおいて適用されうる別の干渉管理スキームの例は、緩慢な適応干渉管理である。干渉管理に対してこのアプローチを使用することによって、リソースが、ネゴシエートされ、スケジューリング間隔よりもはるかに大きな時間スケールにわたって割り当てられる。このスキームの目的は、時間リソースまたは周波数リソースのすべてにわたって、ネットワークの全体有用性を最大化する、送信元のｅノードＢとＵＥとのすべての送信電力の組み合わせを見つけることである。「有用性」は、ユーザ・データ・レート、サービス品質（ＱｏＳ）フローの遅れ、および公平メトリックに応じて定義されうる。このようなアルゴリズムは、最適化を解決するために使用されるすべての情報へのアクセスを有し、かつ、例えば、ネットワーク・コントローラ１３０（図１）のようなすべての送信エンティティに対する制御を有する、中央エンティティによって計算されうる。この中央エンティティは、必ずしも現実的ではないか、また、望ましくもないかもしれない。したがって、代替態様では、ノードのあるセットからのチャネル情報に基づいて、リソース利用量を決定する、分散アルゴリズムが使用されうる。したがって、緩慢な適応干渉アルゴリズムは、中央エンティティを用いて適用されるか、あるいは、ネットワーク内のノード／エンティティのさまざまなセットにわたってアルゴリズムを分散させることによって配置されうる。
【００５３】
前述したように、例えば無線ネットワーク１００のようなヘテロジニアスなネットワークの構成では、ＵＥは、１または複数の干渉元のｅノードＢから高い干渉を観察しうる支配的な干渉シナリオで動作しうる。支配的な干渉シナリオは、制限された関連付けによって生じうる。例えば、図１では、ＵＥ１２０ｙが、フェムトｅノードＢ１１０ｙの近くにあり、ｅノードＢ１１０ｙに関し高い受信電力を有しうる。しかしながら、制約された関連性によって、ＵＥ１２０ｙは、フェムトｅノードＢ１１０ｙにアクセスすることができず、（図１に示すような）マクロｅノードＢ１１０ｃ、または、同様に低い受信電力を持つ（図１に示されていない）フェムトｅノードＢ１１０ｚに接続しうる。ＵＥ１２０ｙは、その後、ダウンリンクで、フェムトｅノードＢ１１０ｙからの高い干渉を観察し、アップリンクで、ｅノードＢ１１０ｙへ高い干渉を引き起こしうる。ｅノードＢ１１０ｃおよびフェムトｅノードＢ１１０ｙは、リソースをネゴシエートするために、調整された干渉管理を用いて、バックホールを介して、または、無線によって通信しうる。このネゴシエーションでは、フェムトｅノードＢ１１０ｙは、チャネル・リソースのうちの１つにおける送信を停止することに合意する。これによって、ＵＥ１２０ｙは、同じチャネルを介してｅノードＢ１１０ｃと通信する場合ほど、フェムト１１０ｙからの干渉を受けなくなるであろう。
【００５４】
このような支配的な干渉シナリオでは、同期システムにおいてでさえも、ＵＥと複数のｅノードＢとの間の距離が異なることにより、ＵＥで観察された信号電力の不一致に加えて、ダウンリンク信号のタイミング遅れもＵＥによって観察されうる。同期システムにおけるｅノードＢは、システムにわたって、推定に基づいて同期される。しかしながら、マクロｅノードＢから５ｋｍの距離にあるＵＥを考慮すると、マクロｅノードＢから受信されたダウンリンク信号の伝搬遅れは、約１６．６７マイクロ秒（５ｋｍ÷３×１０８、すなわち、光速’ｃ’）の遅れとなるであろう。マクロｅノードＢからのダウンリンク信号を、より近いフェムトｅノードＢからのダウンリンク信号と比較すると、タイミング差は、時間トラッキング・ループ（ＴＬＬ）誤差のレベルに近づきうる。
【００５５】
さらに、このタイミング差は、ＵＥにおける干渉除去に悪影響を与えうる。干渉除去はしばしば、同じ信号の複数のバージョンの結合間の相互相関特性を用いる。同じ信号の複数のコピーを結合することによって、干渉は、より簡単に識別されうる。なぜなら、信号のおのおののコピーにおける干渉が存在するであろう間、干渉は、同じ場所にあることはないだろうからである。結合された信号の相互相関を用いて、実際の信号部分が判定され、干渉と区別されうる。これによって、干渉が除去されるようになる。
【００５６】
ヘテロジニアスなネットワークのためのＩＣＩＣの実施では、リソース割当が、同一チャネルに展開されたｅノードＢに対して、さまざまなリソースを事前割当する方式を提供する。例えば、図５に戻って示すように、フェムトｅノードＢとマクロｅノードＢとは、同一チャネル展開におけるヘテロジニアスなネットワークの一部である。したがって、フェムトｅノードＢおよびマクロｅノードＢは、同じチャネルのうちのいくつかを共有する。しかしながら、干渉を低減または最小化するために、フェムトｅノードＢが、保護サブフレームであるサブフレーム０，１，２を予め割り当てられ、マクロｅノードＢが、その他の保護サブフレームであるサブフレーム３，４，７を予め割り当てられるように、リソースが割り当てられる。保護サブフレーム０および７（Ｕサブフレーム）は、静的に割り当てられる。これは、負荷または干渉に関わらず、フェムトｅノードＢおよびマクロｅノードＢそれぞれによって使用されるために保護されるであろうことを意味する。その他の保護サブフレームであるサブフレーム１，２，３，４（ＡＵサブフレーム）は保護されているが、負荷条件および干渉条件がどのように変化したかに基づいて、フェムトｅノードＢとマクロｅノードＢとの間のＩＣＩＣネゴシエーションが、リソースの再分割をトリガしうる。この後、サブフレーム１、２，３，４は、図５に例示されるように、もはや割り当てられることはない。
【００５７】
高いセル負荷を受けている、または、高い干渉下でＵＥにサービス提供しているｅノードＢは、一般に、干渉元のｅノードＢに対して、リソースの多くをクリアすることを要求する。しかしながら、リソースを再分割することは、干渉元のｅノードＢに対して負のインパクトを与えるであろう。なぜなら、干渉元のｅノードＢは、数リソースしか利用可能ではないからである。したがって、リソース再分割をいつどのようにして行うかは、注意深く考慮されねばならない。
【００５８】
再分割をより注意深く考慮するために１つの方法は、再分割要求に含まれるセルおよびｅノードＢのためのさまざまなリソース利用量測定を検討することである。しかしながら、ＬＴＥ／−Ａネットワークに利用可能な既存の標準的な測定は、検討のために重要である環境のすべてに対処するためには不適切である。例えば、ＣＲＥエリアにおけるＵＥは、保護サブフレーム（すなわち、Ｕ／ＡＵサブフレーム）の使用に限定されうる。既存の測定は、保護サブフレームと非保護サブフレーム、および／または、非ＣＲＥエリアとＣＲＥエリアを区別しない。したがって、ＣＲＥエリアＵＥが、保護サブフレームのリソースの１００％を使用している間、現在利用可能な利用量測定は、保護サブフレームと非保護サブフレームとの両方である、利用可能なすべてのサブフレームのコンテキストにおける利用量を測定する。したがって、たとえＵＥが、利用可能な制限されたリソース・サブフレームの１００％を利用していても、結果として得られるＣＲＥエリアＵＥの利用量の測定値は、はるかに低い利用パーセンテージしか反映しないだろう。このシナリオでは、ＣＲＥエリアＵＥが実際に１００％利用である間、競合しているｅノードＢは、この低い利用量測定値によって、ＵＥの実際のリソース利用量を認識することも、このＣＲＥエリアＵＥにサービス提供しているｅノードＢに対してより多くのリソース（例えば、ＡＵサブフレーム）を提供するようにサブフレームを分割することも、阻止されうる。
【００５９】
ＵＥのＣＲＥエリア・ステータス、および、保護サブフレームと非保護サブフレームとの間の相違を考慮する、新たな利用量測定が提案される。図６は、本開示の１つの態様を実施するように実行されるブロックの例を例示する機能ブロック図である。ブロック６００では、第１のセル範囲拡張（ＣＲＥ）エリアにおけるユーザ機器（ＵＥ）の第１の保護リソース利用量が計算される。セル範囲拡張（ＣＲＥ）エリアＵＥ利用率は、ＣＲＥエリアＵＥのための基地局によって計算される。ここでは、セルの保護サブフレームのすべてを考慮して計算がなされる。保護リソースはまた、その他の理由によって使用不可能なリソース・ブロックをも含みうる。オプションとして、基地局は、Ｎ／ＡＮサブフレームを除外する、セルのサブフレームのすべてを考慮して、非ＣＲＥエリアＵＥ利用率を計算しうる。ブロック６０２では、第１の保護リソース利用量が、第１の攻撃ｅノードＢへレポートされる。１つの態様では、リソースは、ＣＲＥエリア利用率、および／または、ＣＲＥエリアおよび非ＣＲＥエリアのアクティブなＵＥの数、に基づいて割り当てられる。代替構成では、リソースはまた、ＣＲＥエリア利用率および非ＣＲＥエリア利用率に基づいて割り当てられうる。
【００６０】
１つの態様では、セル利用量メトリックが、ＣＲＥエリアＵＥ利用率および非ＣＲＥエリアＵＥ利用率、および／または、セル範囲拡張エリアおよび非セル範囲拡張エリアのアクティブなＵＥの数、を考慮して決定される。１つの態様では、サンプリング期間中に、ダウンリンクおよび／またはアップリンクで、データ・リソース・ブロック（ＤＲＢ）のバッファ・データを有するアクティブなＣＲＥエリアＵＥおよび非ＣＲＥエリアＵＥの数を計算することによって、アクティブなＣＲＥエリアＵＥおよび非ＣＲＥエリアＵＥの数が決定される。ＣＲＥエリアＵＥと非ＣＲＥエリアＵＥ、および／または、アクティブなＣＲＥエリアＵＥと非ＣＲＥエリアＵＥの数を区別することと、保護サブフレームを用いてＣＲＥエリアＵＥ利用率を計算することとによって、新たな利用量測定値が、実際のセル利用量をより正確に示すインジケーションを返す。
【００６１】
動作中、信号トラフィック優先度、セル有効通信範囲エリア内のさまざまなＵＥのアップリンク送信とダウンリンク送信の何れかまたは両方、等に関する利用量測定が考慮されうる。図７は、本開示の１つの態様にしたがって構成されたヘテロジニアスなネットワーク７０の一部を概念的に例示するブロック図である。マクロｅノードＢ７００は、マクロ・セル７０１への無線通信アクセスを提供する。ヘテロジニアスなネットワーク７０は、複数の、低電力ピコｅノードＢや、ピコ・セル７０５−７０７にわたる拡張された有効通信範囲エリアを提供するピコｅノード７０２−７０４の配置を利用する。利用可能な通信帯域幅は、マクロｅノードＢ７７０とピコｅノードＢ７０２−７０４とで分割される。これによって、マクロｅノード７００とピコｅノードＢ７０２−７０４のおのおのは、それぞれのセル７０１とセル７０５−７０７のために割り当てられたいくつかの保護サブフレームを有するようになる。近隣のｅノードＢは、隣接したｅノードＢにおいて保護されたサブフレームで送信することを許可されないだろうが、その逆もありうる。
【００６２】
ＵＥ７０８−７１６は、マクロ・セル７０１内のさまざまな場所に位置する。図７において図示された期間において、ピコｅノードＢ７０２は、高いトラフィック負荷を受けている。増加した負荷を取り扱うための追加のリソースを得るために、リソースを再分割するように要求する前に、ピコｅノードＢ７０２は、セル７０５の利用量計算を実行する。ピコｅノードＢ７０２は、有効通信範囲エリア内の各ＵＥ、すなわち、ＵＥ７０８−７１３のリソース利用量を計算することによって、セル利用量を計算する。これは、例えばＵＥ７０１，７１１，７１３のように、ＣＲＥエリア内のＵＥのおのおのについて個別に、リソース利用量を計算する。ＵＥ７１０，７１１，７１３は、セル端部にある（ＵＥ７１３）か、近隣セルの有効通信範囲エリア内にある（ＵＥ７１０−７１１）かの何れかであるので、ＣＲＥエリア７２０ａ、ｃ内にあると考えられる。さらに、ピコｅノード７０２はまた、トラフィック・タイプに基づいて、これらおよび非ＣＲＥエリアＵＥのための、例えば保証ビット・レート（ＧＢＲ）サービスのような個別のリソース利用量を計算し、ＣＲＥエリアＵＥおよび非ＣＲＥエリアＵＥのアップリンクおよびダウンリンクにおける個別のリソース利用量を計算する。
【００６３】
１つの態様では、領域（例えば、非ＣＲＥエリア７２０ａ、ＣＲＥエリア７２０ｂ、ＣＲＥエリア７２０ｃ等）のおのおのについて、アップリンクおよびダウンリンクにおけるＧＢＲトラフィックおよび非ＧＢＲトラフィック（すなわち、４つの組み合わせ）のリソース利用量を個別に計算する。さらに、ＣＲＥエリアＵＥと非ＣＲＥエリアＵＥとが区別されるので、ピコｅノードＢ７０２は、異なるＣＲＥエリア内のどのタイプのＵＥに、どのサブフレームが利用可能であるかを考慮することによって、これら異なる計算を実行する。例えば、ＣＲＥエリアは、保護サブフレーム、または、保護サブフレームと、共通サブフレームのサブセットとの組み合わせのみを使用しうる。さらに、ある構成では、例えばＣＲＥエリア７２０ｃのようなある領域におけるＣＲＥエリアＵＥがさらに、隣接ピコｅノードＢおよび／またはフェムトｅノード間での分割に基づいて制限されうる。したがって、ＣＲＥエリアＵＥの複数のリソース利用率を計算する場合、ピコｅノードＢ７０２は、保護サブフレームのみを用いて、これらのレートを計算する。これは、ＣＲＥエリアＵＥの実際の利用量のより正確な評価を与える。
【００６４】
非ＣＲＥエリアＵＥの場合、ピコｅノードＢ７０２は、次の式にしたがってリソース利用率を計算しうる。  
【数１】
2013535175.tif 000003
【００６５】
ここで、Ｍ（Ｔ）は、非ＣＲＥエリアＵＥ利用量を表し、Ｍ１（Ｔ）は、ＵＥによって使用されたすべての物理リソース・ブロック（ＰＲＢ）を表し、Ｐ（Ｔ）は、利用可能なすべてのＰＲＢを表し、Ｔは、計算の期間を表す。例えば、非ＣＲＥエリアＵＥの場合、Ｐ（Ｔ）は、保護（Ｕ／ＡＵ）サブフレームと非保護（Ｃ／ＡＣ）サブフレームとの両方を含みうる。
【００６６】
ＣＲＥエリアＵＥの場合、ピコｅノードＢ７０２は、次の類似の式にしたがってリソース利用率を計算しうる。  
【数２】
2013535175.tif 000004
【００６７】
ここで、ＭＣＲＥ（Ｔ）は、ＣＲＥエリアＵＥ利用量を表し、Ｍ１（Ｔ）は、ＣＲＥエリアＵＥによって使用されたすべての物理リソース・ブロック（ＰＲＢ）を表し、ＰＣＲＥ（Ｔ）は、ＣＲＥエリアにおいて利用可能なすべてのＰＲＢを表し、Ｔは、計算の期間を表す。したがって、ＣＲＥエリアＵＥの場合、Ｐ（Ｔ）は、保護（Ｕ／ＡＵ）サブフレームに制限されうる。さらなる態様では、異なるＣＲＥエリアは、それぞれのエリアにおいて利用可能な異なるＰＲＢを含みうる。例えば、いくつかのＣＲＥエリアは、（近隣のｅノードＢの配置に依存して、）ある非保護サブフレーム（Ｃ／ＡＣ）を効果的に適用しうるので、もって、他のＣＲＥエリアとは異なるＰＣＲＥ（Ｔ）値を有しうる。
【００６８】
ピコ・セル７０５について、結果として得られるセル・リソース利用率に基づいて、ピコｅノードＢ７０２は、非ＣＲＥエリアＵＥと１または複数のＣＲＥエリアＵＥとの異なるトラフィック負荷およびリソース利用に基づいて、ピコｅノードＢ７０２とリソースを再分割するために、マクロｅノードＢ７００とピコｅノードＢ７０３との両方と、より正確にネゴシエートする。
【００６９】
別の態様では、前述した計算は、アップリンク送信、ダウンリンク送信、制御リソース・ブロック、およびデータ・リソース・ブロックの任意の組み合わせに限定されうる。例えば、１つの態様では、ＰＣＲＥ（Ｔ）およびＰ（Ｔ）は、（例えば、ＳＩＢ、ＲＡＣＨメッセージ等を除く）制御情報がスケジュールされた後に残っているＰＲＢに対応しうる。
【００７０】
リソースの再分割時に使用する別のメトリックは、所与のセル内のアクティブなＵＥの数である。例えば、ピコ・セル７０６内のＵＥ７１４，７１５が、例えばマルチメディア・データのダウンロードのような高データ・レート機能を実行している場合、ピコ・セル７０６のセル利用量は、高くなるように見えるだろう。ピコｅノード７０２が、再分割されたリソースを求めてネゴシエートすることはより困難であり、ピコｅノードＢ７０３からリソースを奪いうる。セル内のアクティブなＵＥの数を計算することによって、相対的な利用量が同じであるように見えるのであれば、サービス提供されているアクティブなＵＥの数は、一種のタイブレーカとして役出ちうる。したがって、６つのアクティブなＵＥであるＵＥ７０８−７１３が、セル７０５内でサービス提供されているとピコｅノードＢ７０２によって計算することによって、ピコｅノードＢ７０２がピコｅノードＢ７０３とネゴシエートする再分割要求によって、ピコｅノードＢ７０３は、ピコｅノードＢ７０２に再割当するために、リソースのいくつかを放棄するようになる。
【００７１】
所与のセル内のアクティブなＵＥの数は、アップリンク通信、ダウンリンク通信、または、これら任意の組み合わせのためにバッファされた任意のデータ・リソース・ブロック（ＤＲＢ）を有する、セル内のＵＥに基づいて計算されうる。アクティブなＵＥの数は、次の式にしたがって計算されうる。  
【数３】
2013535175.tif 000005
【００７２】
ここで、Ｍ（Ｔ，ｐ）は、バッファ・データを有するＵＥの数を表し、Ｎ（ｉ）は、サンプリング機会中にバッファ・データを有するＵＥの数を表し、ｉは、サンプリング機会を表し、ｐは、サンプリング期間長さを表し、Ｉ（Ｔ，ｐ）は、期間Ｔ中におけるサンプリング機会の合計数を表す。
【００７３】
１つの構成では、無線通信のために動作可能なｅノードＢ１１０は、計算する手段と、レポートする手段とを含む。１つの態様では、計算する手段は、コントローラ／プロセッサ４４０、および／または、メモリ４４２でありうる。レポートする手段は、前述する手段によって詳述された機能を実行するように構成されたＸ−２インタフェース４４１、コントローラ／プロセッサ４４０、メモリ４４２、送信プロセッサ４２０、変調器４３２ａ−ｔ、および／または、アンテナ４３４ａ−ｔでありうる。別の態様では、前述した手段は、前述した手段によって記述された機能を実行するように構成されたモジュールまたは任意の装置でありうる。
【００７４】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７５】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７６】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７７】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７８】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013535175.tif 000006
【図２】
2013535175.tif 000007
【図３】
2013535175.tif 000008
【図４】
2013535175.tif 000009
【図５】
2013535175.tif 000010
【図６】
2013535175.tif 000011
【図７】
2013535175.tif 000012
【国際調査報告】
2013535175.tif 000013
2013535175.tif 000014